【手続補正書】
【提出日】平成20年11月21日(2008.11.21)
【手続補正１】
【補正対象書類名】明細書
【補正対象項目名】特許請求の範囲
【補正方法】変更
【補正の内容】
【特許請求の範囲】
【請求項１】  遊技媒体を用いて遊技者が所定の遊技を行うことが可能であり、遊技により払出条件が成立したことにもとづいて景品として景品遊技媒体を払い出し、記録媒体に記録されている情報により特定される価値を遊技機での遊技に使用できる遊技使用価値に変換しあらかじめ定められた単位数の払い出しを指示する貸出要求信号を複数回送信することによりあらかじめ設定された遊技者に貸し出す貸遊技媒体の総数の払い出しを指示することが可能な記録媒体処理装置と通信可能に接続され、前記貸出要求信号の受信にもとづいて単位数の貸遊技媒体を払い出すことが可能な遊技機であって、
遊技の進行を制御する遊技制御手段と、
貸遊技媒体の払い出しと景品遊技媒体の払い出しとを行う払出手段と、
前記払出手段を制御する払出制御手段と、
前記払出手段から払い出された遊技媒体を検出して払出検出信号を出力する払出検出手段とを備え、
前記遊技制御手段は、
前記払出条件の成立にもとづいて払い出される景品遊技媒体の総数を特定可能な景品遊技媒体数データを記憶するとともに、遊技機への電力供給が停止した場合に記憶内容を少なくとも所定期間保存する景品遊技媒体数記憶手段と、
前記景品遊技媒体数データにもとづいて前記払出制御手段に対して所定数の景品遊技媒体の払出数を特定可能な払出指令信号を出力する払出指令信号出力手段と、
前記払出指令信号出力手段が前記払出指令信号を出力した後に所定の条件が成立すると前記景品遊技媒体数データから前記払出指令信号で特定される払出数に対応する値を減算する減算処理を行う景品遊技媒体数データ減算手段とを含み、
前記払出制御手段は、
前記払出指令信号で特定される払出数の景品遊技媒体を前記払出手段を制御して払い出させる景品遊技媒体払出処理を実行する景品遊技媒体払出制御手段と、
前記貸出要求信号の受信に応じて前記払出手段を制御して貸遊技媒体を払い出させる貸遊技媒体払出処理を実行する貸遊技媒体払出制御手段と、
前記遊技制御手段における前記払出指令信号出力手段から前記払出指令信号を入力したときに、前記遊技制御手段に対して前記景品遊技媒体払出処理の実行中であることを示す払出処理中信号の出力を開始する払出処理中信号出力手段と、
前記払出検出手段からの前記払出検出信号にもとづいて、前記払出指令信号で特定された払出数の景品遊技媒体が払い出されたか否かを判定する払出数判定手段と、
貸遊技媒体を払い出すことが可能な状態であることを示す貸遊技媒体払出状態信号を、前記記録媒体処理装置から前記貸出要求信号を受信したことにもとづいて前記記録媒体処理装置に送信するとともに、当該貸出要求信号の受信にもとづく単位数の貸遊技媒体の払い出しが完了したことを示す払出完了信号を前記記録媒体処理装置に送信する払出状態信号送信手段と、
払い出しに関わるエラーを検出するエラー検出手段と、
前記エラー検出手段がエラーを検出したことにもとづいて、払い出しに関わる制御状態を、貸遊技媒体の払い出しを行わない状態であるエラー状態に移行させるエラー状態設定手段と、
前記エラー状態設定手段によって前記エラー状態に移行されたことにもとづいて、前記記録媒体処理装置との間で実行される通信を停止させる通信停止手段とを含み、
前記払出処理中信号出力手段は、前記景品遊技媒体払出制御手段が前記景品遊技媒体払出処理を実行しているときに前記払出処理中信号の出力状態を維持し、前記払出数判定手段が前記払出指令信号で特定された払出数の景品遊技媒体が払い出されたと判定したときに前記払出処理中信号の出力を停止し、
前記景品遊技媒体数データ減算手段は、前記所定の条件としての前記払出処理中信号の出力開始により前記減算処理を実行し、
前記記録媒体処理装置により送信される前記複数回の貸出要求信号のうち２回目以降に送信される前記貸出要求信号は、前回の前記貸出要求信号にもとづく前記貸遊技媒体払出状態信号を受信した後の所定期間内に前記記録媒体処理装置が前記払出完了信号を受信したことを条件に送信され、
前記通信停止手段は、前記記録媒体処理装置との間で実行される通信を停止させる際に、前記所定期間が経過していないときには、少なくとも前記所定期間が経過するまでは前記払出完了信号の送信を不能動化する不能動化手段を含む
ことを特徴とする遊技機。
【手続補正２】
【補正対象書類名】明細書
【補正対象項目名】０００９
【補正方法】変更
【補正の内容】
【０００９】
【課題を解決するための手段】
本発明による遊技機は、遊技媒体を用いて遊技者が所定の遊技を行うことが可能であり、遊技により払出条件が成立したことにもとづいて景品として景品遊技媒体を払い出し、記録媒体（例えばプリペイドカード）に記録されている情報（例えば残り度数）により特定される価値（例えば金額）を遊技機での遊技に使用できる遊技使用価値（例えば遊技球の数）に変換し、あらかじめ定められた単位数（例えば２５個）の払い出しを指示する貸出要求信号（例えばＢＲＱ信号）を複数回送信することによりあらかじめ設定された遊技者に貸し出す貸遊技媒体の総数（例えば５００円分であれば１２５個）の払い出しを指示することが可能な記録媒体処理装置（例えばプリペイドカードユニット５０）と通信可能に接続され、貸出要求信号の受信にもとづいて単位数の貸遊技媒体を払い出すことが可能な遊技機であって、遊技の進行を制御する遊技制御手段と、貸遊技媒体の払い出しと景品遊技媒体の払い出しとを行う払出手段（例えば球払出装置９７）と、払出手段を制御する払出制御手段（例えば払出制御用ＣＰＵ３７１）と、払出手段から払い出された遊技媒体を検出して払出検出信号を出力する払出検出手段とを備え、遊技制御手段は、払出条件の成立にもとづいて払い出される景品遊技媒体の総数を特定可能な景品遊技媒体数データを記憶するとともに、遊技機への電力供給が停止した場合に記憶内容を少なくとも所定期間保存する景品遊技媒体数記憶手段と、景品遊技媒体数データにもとづいて払出制御手段に対して所定数の景品遊技媒体の払出数を特定可能な払出指令信号を出力する払出指令信号出力手段と、払出指令信号出力手段が払出指令信号を出力した後に所定の条件が成立すると景品遊技媒体数データから払出指令信号で特定される払出数に対応する値を減算する減算処理を行う景品遊技媒体数データ減算手段とを含み、払出制御手段は、払出指令信号で特定される払出数の景品遊技媒体を払出手段を制御して払い出させる景品遊技媒体払出処理を実行する景品遊技媒体払出制御手段と、貸出要求信号の受信に応じて払出手段を制御して貸遊技媒体を払い出させる貸遊技媒体払出処理を実行する貸遊技媒体払出制御手段と、遊技制御手段における払出指令信号出力手段から払出指令信号を入力したときに、遊技制御手段に対して景品遊技媒体払出処理の実行中であることを示す払出処理中信号の出力を開始する払出処理中信号出力手段と、払出検出手段からの払出検出信号にもとづいて、払出指令信号で特定された払出数の景品遊技媒体が払い出されたか否かを判定する払出数判定手段と、貸遊技媒体を払い出すことが可能な状態であることを示す貸遊技媒体払出状態信号（例えばオン状態のＥＸＳ信号）を、記録媒体処理装置から貸出要求信号を受信したことにもとづいて記録媒体処理装置に送信する（例えばステップＳ６３６）とともに、当該貸出要求信号の受信にもとづく単位数の貸遊技媒体の払い出しが完了したことを示す払出完了信号（例えばオフ状態のＥＸＳ信号）を記録媒体処理装置に送信する（例えばステップＳ６６７）払出状態信号送信手段（例えば払出制御用ＣＰＵ３７１）と、払い出しに関わるエラーを検出するエラー検出手段（例えば払出制御用ＣＰＵ３７１におけるステップＳ６６１などのエラービットをセットするか否かに関わる処理を実行する部分）と、エラー検出手段がエラーを検出したことにもとづいて、払い出しに関わる制御状態を、貸遊技媒体の払い出しを行わない状態であるエラー状態に移行させるエラー状態設定手段（例えば払出制御用ＣＰＵ３７１におけるステップＳ６６６などのエラービットをセットする処理を実行する部分。なお、エラービットがセットされたあとは、ステップＳ６２１の判定により遊技球の貸し出しは行われない。）と、エラー状態設定手段によってエラー状態に移行されたことにもとづいて、記録媒体処理装置との間で実行される通信を停止させる通信停止手段（例えば払出制御用ＣＰＵ３７１）とを含み、払出処理中信号出力手段は、景品遊技媒体払出制御手段が景品遊技媒体払出処理を実行しているときに払出処理中信号の出力状態を維持し、払出数判定手段が払出指令信号で特定された払出数の景品遊技媒体が払い出されたと判定したときに払出処理中信号の出力を停止し、景品遊技媒体数データ減算手段は、所定の条件としての払出処理中信号の出力開始により減算処理を実行し、記録媒体処理装置により送信される複数回の貸出要求信号のうち２回目以降に送信される貸出要求信号は、前回の貸出要求信号にもとづく貸遊技媒体払出状態信号を受信した後の所定期間（例えば図３６に示す払出監視時間）内に記録媒体処理装置が払出完了信号を受信したことを条件に送信され、通信停止手段は、記録媒体処理装置との間で実行される通信を停止させる際に、所定期間（例えば図５６に示す払出監視時間と同一時間である貸出完了信号出力禁止時間）が経過していないときには、少なくとも所定期間が経過するまでは払出完了信号の送信を不能動化する不能動化手段を含むことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】０３０８
【補正方法】変更
【補正の内容】
【０３０８】
【発明の効果】
以上のように、請求項１記載の発明によれば、遊技媒体を用いて遊技者が所定の遊技を行うことが可能であり、遊技により払出条件が成立したことにもとづいて景品として景品遊技媒体を払い出し、記録媒体に記録されている情報により特定される価値を遊技機での遊技に使用できる遊技使用価値に変換し、あらかじめ定められた単位数の払い出しを指示する貸出要求信号を複数回送信することによりあらかじめ設定された遊技者に貸し出す貸遊技媒体の総数の払い出しを指示することが可能な記録媒体処理装置と通信可能に接続され、貸出要求信号の受信にもとづいて単位数の貸遊技媒体を払い出すことが可能な遊技機であって、貸遊技媒体の払い出しと景品遊技媒体の払い出しとを行う払出手段と、払出手段を制御する払出制御手段とを備え、払出制御手段は、貸遊技媒体を払い出すことが可能な状態であることを示す貸遊技媒体払出状態信号を、記録媒体処理装置から貸出要求信号を受信したことにもとづいて記録媒体処理装置に送信するとともに、当該貸出要求信号の受信にもとづく単位数の貸遊技媒体の払い出しが完了したことを示す払出完了信号を記録媒体処理装置に送信する払出状態信号送信手段と、払い出しに関わるエラーを検出するエラー検出手段と、エラー検出手段がエラーを検出したことにもとづいて、払い出しに関わる制御状態を、貸遊技媒体の払い出しを行わない状態であるエラー状態に移行させるエラー状態設定手段と、エラー状態設定手段によってエラー状態に移行されたことにもとづいて、記録媒体処理装置との間で実行される通信を停止させる通信停止手段とを含み、記録媒体処理装置により送信される複数回の貸出要求信号のうち２回目以降に送信される貸出要求信号は、前回の貸出要求信号にもとづく貸遊技媒体払出状態信号を受信した後の所定期間内に記録媒体処理装置が払出完了信号を受信したことを条件に送信され、通信停止手段は、記録媒体処理装置との間で実行される通信を停止させる際に、所定期間が経過していないときには、少なくとも所定期間が経過するまでは払出完了信号の送信を不能動化する不能動化手段を含むことを特徴とするので、正確な遊技媒体の払い出しができないエラー状態となったときに、誤動作を起こさせることのないように記録媒体処理装置との間の通信を停止させることができる。
【手続補正９】
【補正対象書類名】明細書
【補正対象項目名】０３０９
【補正方法】削除
【補正の内容】
【手続補正１０】
【補正対象書類名】明細書
【補正対象項目名】０３１０
【補正方法】削除
【補正の内容】
【手続補正１１】
【補正対象書類名】明細書
【補正対象項目名】０３１１
【補正方法】削除
【補正の内容】
【手続補正１２】
【補正対象書類名】明細書
【補正対象項目名】０３１２
【補正方法】削除
【補正の内容】
【手続補正１３】
【補正対象書類名】明細書
【補正対象項目名】０３１３
【補正方法】削除
【補正の内容】